(57)【要約】      （修正有）【課題】結束帯が外れにくい熱可塑性プラスチック製の結束仲介部材を提供する。【解決手段】荷物に結束テープ１１を巻回して固定したり束ねたりする際に使用され、結束テープ１１の一端側に取着され結束テープ１１を荷物に巻回した後に結束テープ１１の他端側を結び止めるための熱可塑性プラスチック製の結束用プレート１であって、結束用プレート１は板状の扁平な外観をなすとともに、中央に表裏に連通する透孔２が形成され、透孔２の周囲に外方に向かって張り出し状に形成された４つの第１及び第２の係合突起４，５を有する。第１の係合突起４には結束テープ１１を固定するための小透孔８が形成されている。使用に際しては結束テープ１１の一端を透孔２周囲の各係合突起４，５に絡ませて取着し、荷物に結束テープ１１を巻回し結束テープ１１の他端を透孔２に連通させて結束する。【選択図】図２
0003181287.tif 000002
【実用新案登録請求の範囲】
【請求項１】
荷物に結束帯を巻回して固定したり束ねたりする際に使用され、前記結束帯の一端側に取着され前記結束帯を前記荷物に巻回した後に前記結束帯の他端側を結び止めるための熱可塑性プラスチック製の結束仲介部材であって、
中央又は中央付近に表裏に連通する透孔が形成され、前記透孔の周囲に外方に向かって張り出し状に形成された複数の突起体を有するとともに、板状の扁平な外観をなすことを特徴とする熱可塑性プラスチック製の結束仲介部材。
【請求項２】
前記複数の突起体はその外周寄り部分に前記透孔寄り部分よりも幅広に形成された部分を有するように形成されていることを特徴とする請求項１に記載の熱可塑性プラスチック製の結束仲介部材。
【請求項３】
前記複数の突起体には表裏に連通する第２の透孔が形成されていることを特徴とする請求項１又は２に記載の熱可塑性プラスチック製の結束仲介部材。
【考案の詳細な説明】
【技術分野】
【０００１】
本考案は、荷物に結束帯を巻回して固定したり複数の荷物を束ねたりする際に使用され、前記結束帯の前端側に取着され前記結束帯を前記荷物に巻回した後に前記結束帯の後端側を結び止める熱可塑性プラスチック製の結束仲介部材に関するものである。
【背景技術】
【０００２】
例えば荷物をパレット上に固定したり、荷物同士を束ねたりするために、従来からその外周に結束帯を巻回することで荷物が動かないように結束している。従来ではロープやベルトのような結束帯をそのまま巻き回して端部同士を結んだり、結束帯の一端に金属製のリングを取り付け、そのリングに結束帯の他端を通して結ぶようにしている。リングを使用するほうがしっかりと荷物を結束帯によって締め付けることができ、作業性もよいためこのようなリングを使用した結束方法は比較的広く用いられている。
【考案の概要】
【考案が解決しようとする課題】
【０００３】
しかしながら、一般的に結束帯は熱可塑性プラスチック製品であるため、結束帯が古くなってリサイクルする際にはこの金属製のリングを取り外さなければならず面倒である。また、通常リングは棒状の鋼材を屈曲して先端同士を突き合わせるように構成されているため、経年使用で隙間が開いてしまった場合や、それほど開いていなくとも偶然に結束帯が突合せ位置に配置されてしまい強い負荷がかかった場合等には結束帯がリングから外れてしまう可能性があった。
本考案の目的は、リサイクルしやすく、結束帯が外れにくい熱可塑性プラスチック製の結束仲介部材を提供することにある。
【課題を解決するための手段】
【０００４】
上記の目的を達成するため、第１の手段では、荷物に結束帯を巻回して固定したり束ねたりする際に使用され、前記結束帯の一端側に取着され前記結束帯を前記荷物に巻回した後に前記結束帯の他端側を結び止めるための熱可塑性プラスチック製の結束仲介部材であって、中央又は中央付近に表裏に連通する透孔が形成され、前記透孔の周囲に外方に向かって張り出し状に形成された複数の突起体を有するとともに、板状の扁平な外観をなすことをその要旨とする。
また第２の手段では第１の手段に加え、前記複数の突起体はその外周寄り部分に前記透孔寄り部分よりも幅広に形成された部分を有するように形成されていることをその要旨とする。
また第３の手段では第１又は第２の手段に加え、前記複数の突起体には表裏に連通する第２の透孔が形成されていることをその要旨とする。
【考案の効果】
【０００５】
上記各請求項の考案では、結束帯が結束仲介部材から外れにくく、熱可塑性プラスチック製であるためリサイクル可能である。
また、使用に際しては結束帯の一端を透孔周囲の複数の突起体に絡ませて結束仲介部材に取着するようにし、荷物に結束帯を巻回して結束帯の他端を透孔に連通させて結束することとなるため、結束仲介部材を介して結束帯の両端がリング状に連結状態となり、万一結束仲介部材が破断しても結束状態が解除されずに維持されることとなる。
【図面の簡単な説明】
【０００６】
【図１】本考案の実施の形態の結束用プレートの（ａ）は平面図、（ｂ）は（ａ）のＡ−Ａ線での断面図、（ｃ）は背面図。
【図２】同じ実施の形態の結束用プレートであって（ａ）及び（ｂ）は結束テープの先端を取着した状態の表裏それぞれの方向からの斜視図、（ｃ）は（ａ）の状態で結束テープの自由端側を連結した状態の斜視図。
【図３】結束用プレートを介して結束テープによって荷物をパレット上に結束した状態を説明する説明図。
【考案を実施するための形態】
【０００７】
以下、本考案の実施の形態の結束仲介部材を図面に基づいて説明する。
図１及び図２に示すように、結束仲介部材としての結束用プレート１は、射出成形法等で成形されたポリプロピレン（ＰＰ）製の扁平な刀の鍔状の外観を呈している。結束用プレート１の中央位置には楕円形状の表裏に連通する透孔２が形成されている。より具体的には、結束用プレート１は円板を想定した場合に、その中心から透孔２の短径方向に延出される直線（図１（ａ）の一点鎖線方向）から左右に４０度ずつ振った方向に中心方向に向かう略Ｕ字状の４つの切り欠き３によって画定される扇状の４つの突起体を備えた形状とされている。突起体の形状は２種類であり、透孔２の短径方向において対向する一対の同形状の第１の係合突起４と、透孔２の長径方向において対向する一対の同形状の第２の係合突起５から構成される。両係合突起４，５共に全体として同じ厚みに構成された板片であって、第１の係合突起４は第２の係合突起５よりも相対的に幅広に構成されている。両係合突起４，５は透孔２の周囲の中央寄り領域の厚みに対して若干薄手に構成されている。図１（ａ）に示すように、第１の係合突起４は表面側においてその基部寄り位置（中央寄り位置）で透孔２の長径に対して平行な壁面６を境界として一段低くなるように構成されている。一方、図１（ｂ）に示すように、第２の係合突起５は裏面側においてその基部寄り位置（中央寄り位置）で透孔２の短径に対して平行な壁面７を境界として一段低くなるように構成されている。
一対の第１の係合突起４の一方には隅丸に形成された長方形形状の平面形状をなす表裏に連通する小透孔８が形成されている。尚、結束用プレート１の各構成において不連続的な角部はすべて面取りされて滑らかな連続的な曲面とされている。
【０００８】
次に、このように構成された結束用プレート１の結束テープ１１を使用した具体的な結束方法の一例について説明する。
まず図２（ａ）〜（ｃ）に示すように、小透孔８が形成された第１の係合突起４の位置を下側に見立てた場合に、結束帯としてのＰＰ製の結束テープ１１を各切り欠き３と左右及び上側の係合突起４，５に絡ませて小透孔８に近接した位置で結び目１２を作るようにして結束テープ１１の先端側を結束用プレート１に固定する。
結束テープ１１の絡み状態の一例をより具体的説明すると、まず結束テープ１１の先端側を小透孔８を裏面（図１（ｂ）の側）から挿入して表面側に引き出し小透孔８に隣接する切り欠き３を通して左方（又は右方）に配置された第２の係合突起５の裏面に絡ませるようにする。更に、結束テープ１１を上方に導き次の切り欠き３を通して上方の第１の係合突起４の表面に絡ませ、次の切り欠き３を通して右方（又は左方）に配置された第２の係合突起５の裏面に絡ませる。そして、最後に結束テープ１１を小透孔８に隣接する切り欠き３を通して再び小透孔８を裏面側に引き出し、小透孔８に近接した位置でこのように絡めた結束テープ１１が緩まないように結び目１２を作る。これで結束テープ１１の先端に結束用プレート１が取着されることとなり、同時に結束用プレート１の中央位置に形成された透孔２の周囲を包囲するような結束テープ１１の輪が構成されることとなる（これを結束テープ１１先端側の輪とする）。
【０００９】
このように結束テープ１１の端に結束用プレート１を取着した結束テープ１１によって荷物を結束する。結束する際には結束テープ１１を荷物に巻き回しした後に図２（ｃ）のようにその自由端を結束用プレート１位置に戻して透孔２に通し、しっかりと締め付けた状態で結び目１３を作る。この図２（ｃ）の状態では自由端側にも結束テープ１１の輪が構成されることとなり、それは結束テープ１１先端側の輪と連結された状態である。図３はこのような結束用プレート１を取着した結束テープ１１によって荷物１４をパレット１５上において結束した状態の一例である。
【００１０】
以上のように構成することで、本実施の形態は次のような効果を奏する。
（１）結束テープ１１は先端側も自由端側もしっかりと結束用プレート１に結ばれており、従来の金属製リングのように突合せた先端同士が開いてしまって結束テープ１１が外れるといった不具合が生じない。
（２）結束用プレート１は結束テープ１１と同種の熱可塑性プラスチック製であるためそのまま取り外さなくとも一緒にリサイクル可能である。
（３）結束状態で結束テープ１１先端側の輪と結束テープ１１自由側の輪は位相的に連結された状態であるため、万一結束用プレート１が破断しても結束状態を維持させることができる。
（４）結束テープ１１を結束用プレート１に絡ませる際に結束テープ１１を壁面６，７に沿って延出させることができるため、つまり、壁面６，７を包囲するように延出させることができるため結束テープ１１の結束用プレート１への取着作業が容易となる。
（５）結束用プレート１は十分な重量があるので結束テープ１１パレット１５の中を通過させる際には結束用プレート１を案内おもりとして投げて通過させることができるため、作業効率が上がる。
【００１１】
尚、この考案は、次のように変更して具体化することも可能である。
・上記結束用プレート１の形状は一例である。例えば、透孔２の形状を変更したり、係合突起４，５の形状や数を変更することも可能である。
・小透孔８はなくともよい。従って小透孔８を形成するための第１の係合突起４もなくても実施可能である。逆に小透孔８を複数の係合突起４，５に形成するようにしてもよい。
・上記以外の材質で構成するようにしてもよい。
・その他、本考案の趣旨を逸脱しない態様で実施することは自由である。
【符号の説明】
【００１２】
１…熱可塑性プラスチック製の結束仲介部材としての結束用プレート、２…透孔、４…突起体としての第１の係合突起、５…突起体としての第２の係合突起、１１…結束帯としての結束テープ、１２…荷物。
【図１】
0003181287.tif 000003
【図２】
0003181287.tif 000004
【図３】
0003181287.tif 000005